(57)【要約】【課題】箱体の二方向への引き出しによる利便性と箱体の落下防止による安全性とを確保しつつ、箱体の荷重を安定的に支持する。【解決手段】箱体２０を、正面側と背面側の二方向に引き出し可能な収納家具１０において、箱体２０が納められるスペース１１ａを形成する複数の仕切板１３のうち下側仕切板１３の正面側端部に上向突起部材４０が設けられ、箱体２０の底面部２１に、上向突起部材４０が納まる溝２１ａが、箱体２０の引き出し方向に沿って、かつ正面側に開放されるとともに背面側に閉じられた状態で形成され、上側仕切板１３の背面側端部に、下方に突出する下向突起部材５０が設けられ、箱体２０の背面部２３における上端部の高さ位置は、下向突起部材５０の下端部よりも下方に位置し、箱体２０の正面部２２における上端部の高さ位置は、下向突起部材５０の下端部よりも上方に位置している。【選択図】図４
2020018658.tif 000002
【特許請求の範囲】
【請求項１】
物品が収納される上向き開口の箱体と、上下に離間して前記箱体が納められるスペースを形成する複数の仕切板と、を備え、前記箱体を、正面側と背面側の二方向に引き出し可能な収納家具において、
前記箱体は、
前記複数の仕切板のうち下側に位置する下側仕切板の上面に接する底面部と、
前記複数の仕切板のうち上側に位置する上側仕切板と前記下側仕切板との間に納まる高さ寸法に設定された正面部及び背面部と、
を有しており、
前記下側仕切板の正面側端部には、上方に突出する上向突起部材が設けられ、
前記箱体の前記底面部には、前記上向突起部材が納まる溝が、前記箱体の引き出し方向に沿って、かつ正面側に開放されるとともに背面側に閉じられた状態で形成されており、
前記上側仕切板の背面側端部には、下方に突出する下向突起部材が設けられ、
前記箱体の前記背面部における上端部の高さ位置は、前記下向突起部材の下端部よりも下方に位置し、前記箱体の前記正面部における上端部の高さ位置は、前記下向突起部材の下端部よりも上方に位置することを特徴とする収納家具。
【請求項２】
請求項１に記載の収納家具において、
前記上向突起部材及び前記下向突起部材は、前記下側仕切板と前記上側仕切板に対して脱着自在に設けられていることを特徴とする収納家具。
【請求項３】
請求項２に記載の収納家具において、
前記下側仕切板と前記上側仕切板のそれぞれは雌ネジ部を有し、
前記上向突起部材及び前記下向突起部材は、前記雌ネジ部に螺合する雄ネジ部を有することを特徴とする収納家具。
【請求項４】
請求項１〜３のいずれか一項に記載の収納家具において、
前記上向突起部材及び前記下向突起部材の周囲には緩衝材が設けられていることを特徴とする収納家具。
【請求項５】
請求項１〜４のいずれか一項に記載の収納家具において、
前記下向突起部材の幅寸法は、前記背面部の幅寸法よりも短く設定されていることを特徴とする収納家具。
【請求項６】
請求項１〜５のいずれか一項に記載の収納家具において、
前記複数の仕切板が取り付けられて当該複数の仕切板を支持する複数の縦仕切板を備えており、
前記複数の縦仕切板のうち少なくとも一つの縦仕切板は、建物の耐力壁に固定されていることを特徴とする収納家具。
【請求項７】
請求項１〜６のいずれか一項に記載の収納家具が設置された子供用施設であって、
前記収納家具によって隔てられ、当該収納家具を介して隣り合う二つの部屋を備え、
前記二つの部屋のうち一方は、子供が過ごす子供用スペースとされ、他方は、前記子供用スペースとは別室のホールとされていることを特徴とする子供用施設。
【発明の詳細な説明】
【技術分野】
【０００１】
本発明は、収納家具及び子供用施設に関する。
【背景技術】
【０００２】
従来、収納家具は、引出しを正面側から引き出すように構成されたものが一般的であるが、引出しを一方から引き出すだけでなく、正面側と背面側の二方向から引き出せるような仕組みを備えたものも提案されている（例えば特許文献１参照。）。
二方向から引出しを引き出せるようにすることによって、隣接する二つの部屋間に配置し、引出しに収納した物品を、一方の部屋側からも他方の部屋側からも取り出したり収納したりすることができるので利便性が高い。
【０００３】
ところで、二方向から引出しを引き出せる収納家具には背板がないため、引出しが正面側又は背面側に落下することを防ぐ構造が採用される。
特許文献１における収納家具の場合、引出しを構成する箱体が納められるスペースを形成する仕切板の正面側端部には、上方に突出する上向き係止部が設けられ、背面側端部には、下方に突出する下向き係止部が設けられている。さらに、箱体の正面板は、側面板及び背面板の上端よりも上方に突出する高さを有して形成され、背面板は、側面板及び正面板の下端よりも下方に突出するように形成されている。そして、箱体を正面側に引き出した際には、背面板の下端が、下側の仕切板の上向き係止部に引っ掛かり、箱体を背面側に引き出した際には、正面板の上端が、上側の仕切板の下向き係止部に引っ掛かるようになっており、これにより、箱体が正面側又は背面側に落下することを防ぐことが可能となっている。
さらに、箱体は、側面板に対して正面板から背面板の間に延びる摺動溝が形成されており、この摺動溝に、収納家具における側板の内面に取り付けられた桟部材を合致させることで、桟部材に沿ったスライド移動が行えるようになっている。
【先行技術文献】
【特許文献】
【０００４】
【特許文献１】特許第５０７１１１６号公報
【発明の概要】
【発明が解決しようとする課題】
【０００５】
特許文献１の収納家具における箱体は、背面板が、下端が下方に突出した状態のまま上下の仕切板間のスペースを移動するため、底面板は、下側の仕切板の上面には載らない状態となる。要するに、特許文献１における箱体は、底面板と下側の仕切板の上面との間に、背面板の下端が下方に突出する寸法分の隙間を形成しながら、箱体のスライド移動を可能とするために、上述のようなスライド移動の構造が採用され、下側の仕切板の上方に持ち上げられた状態となっている。
ところが、このようなスライド移動の構造は、箱体に様々な物品が収納されて重量が増すと、摺動溝と桟部材との間の摩擦力が大きくなってしまい、箱体のスライド移動がしにくくなる場合がある。また、箱体の底面板が、下側の仕切板の上面に載らない状態であるため、箱体の荷重を、側面板の内面に取り付けられた桟材だけで支持することになってしまうことから、より安定的に箱体の荷重を支持することが求められていた。
【０００６】
本発明の課題は、箱体の二方向への引き出しによる利便性と箱体の落下防止による安全性とを確保しつつ、箱体の荷重を安定的に支持することである。
【課題を解決するための手段】
【０００７】
請求項１に記載の発明は、例えば図１〜図８に示すように、物品が収納される上向き開口の箱体２０，３０と、上下に離間して前記箱体２０，３０が納められるスペース（箱体収納部１１ａ）を形成する複数の仕切板１３と、を備え、前記箱体２０，３０を、正面側と背面側の二方向に引き出し可能な収納家具１０（第一収納家具１０）において、
前記箱体２０，３０は、
前記複数の仕切板１３のうち下側に位置する下側仕切板１３の上面に接する底面部２１，３１と、
前記複数の仕切板１３のうち上側に位置する上側仕切板１３と前記下側仕切板１３との間に納まる高さ寸法に設定された正面部２２，３２及び背面部２３，３３と、
を有しており、
前記下側仕切板１３の正面側端部には、上方に突出する上向突起部材４０が設けられ、
前記箱体２０，３０の前記底面部２１，３１には、前記上向突起部材４０が納まる溝２１ａが、前記箱体２０，３０の引き出し方向に沿って、かつ正面側に開放されるとともに背面側に閉じられた状態で形成されており、
前記上側仕切板１３の背面側端部には、下方に突出する下向突起部材５０が設けられ、
前記箱体２０，３０の前記背面部２３，３３における上端部の高さ位置は、前記下向突起部材５０の下端部よりも下方に位置し、前記箱体２０，３０の前記正面部２２，３２における上端部の高さ位置は、前記下向突起部材５０の下端部よりも上方に位置することを特徴とする。
【０００８】
請求項１に記載の発明によれば、下側仕切板１３の正面側端部には、上方に突出する上向突起部材４０が設けられ、箱体２０，３０の底面部２１，３１には、上向突起部材４０が納まる溝２１ａが、箱体２０，３０の引き出し方向に沿って、かつ正面側に開放されるとともに背面側に閉じられた状態で形成されているので、箱体２０，３０を正面側に引き出す際には、箱体２０，３０が、溝２１ａ内に上向突起部材４０を納めた状態で、下側仕切板１３の上面を摺動することになる。そのため、箱体２０，３０の荷重を、下側仕切板１３によって安定的に支持することができる。また、箱体２０，３０を正面側に引き出した際には、上向突起部材４０が、溝２１ａにおける閉じられた状態の背面側端部（当接部材２１ｂ）に当接するため、箱体２０，３０が正面側に落下することを防ぐことができ、安全性を確保できる。
さらに、上側仕切板１３の背面側端部には、下方に突出する下向突起部材５０が設けられ、箱体２０，３０の背面部２３，３３における上端部の高さ位置は、下向突起部材５０の下端部よりも下方に位置するので、背面部２３，３３における上端部が、下向突起部材５０には当たらない状態となり、箱体２０，３０を背面側にも引き出すことができる。すなわち、箱体２０，３０の二方向への引き出しが可能となるので、利便性に優れる。また、箱体２０，３０の正面部２２，３２における上端部の高さ位置は、下向突起部材５０の下端部よりも上方に位置するので、箱体２０，３０を背面側に引き出した際には、下向突起部材５０が、箱体２０，３０の正面部２２，３２における上端部に当接するため、箱体２０，３０が背面側に落下することを防ぐことができ、安全性を確保できる。
【０００９】
請求項２に記載の発明は、例えば図５に示すように、請求項１に記載の収納家具１０において、
前記上向突起部材４０及び前記下向突起部材５０は、前記下側仕切板１３と前記上側仕切板１３に対して脱着自在に設けられていることを特徴とする。
【００１０】
請求項２に記載の発明によれば、上向突起部材４０及び下向突起部材５０は、下側仕切板１３と上側仕切板１３に対して脱着自在に設けられているので、上向突起部材４０及び下向突起部材５０を取り外すことで、箱体２０，３０を、当該箱体２０，３０が納められるスペースから正面側にも背面側にも引き抜くことができる。これにより、箱体２０，３０を床に置いて物品の収納を行ったり、複数の仕切板１３又は箱体２０，３０のメンテナンス作業を行ったりすることができる。
【００１１】
請求項３に記載の発明は、例えば図５に示すように、請求項２に記載の収納家具１０において、
前記下側仕切板１３と前記上側仕切板１３のそれぞれは雌ネジ部１３ａを有し、
前記上向突起部材４０及び前記下向突起部材５０は、前記雌ネジ部１３ａに螺合する雄ネジ部（軸部４２）を有することを特徴とする。
【００１２】
請求項３に記載の発明によれば、下側仕切板１３と上側仕切板１３のそれぞれは雌ネジ部１３ａを有し、上向突起部材４０及び下向突起部材５０は、雌ネジ部１３ａに螺合する雄ネジ部４２を有するので、上向突起部材４０及び下向突起部材５０の、下側仕切板１３と上側仕切板１３に対する取り付け強度が出やすく、下側仕切板１３と上側仕切板１３からの取り外しも容易となる。
さらに、下側仕切板１３及び上側仕切板１３に雌ネジ部１３ａを設け、雄ネジ部４２を有する上向突起部材４０及び下向突起部材５０と箱体２０，３０とを用意すれば収納家具１０を構成できるので、古くなった収納家具１０の板枠材を再利用するなどすれば、リフォーム・リノベーション分野での展開が可能となる。
【００１３】
請求項４に記載の発明は、例えば図８に示すように、請求項１〜３のいずれか一項に記載の収納家具１０において、
前記上向突起部材４０及び前記下向突起部材５０の周囲には緩衝材４３が設けられていることを特徴とする。
【００１４】
請求項４に記載の発明によれば、上向突起部材４０及び下向突起部材５０の周囲には緩衝材４３が設けられているので、上向突起部材４０と溝２１ａとの接触による上向突起部材４０又は溝２１ａの破損を防ぐことができる。
さらに、緩衝材４３としてゴムなどを用いれば、上向突起部材４０及び下向突起部材５０を取り外した場合に、上向突起部材４０及び下向突起部材５０が転がりにくくなり、上向突起部材４０及び下向突起部材５０の紛失を防ぎやすくなる。
【００１５】
請求項５に記載の発明は、例えば図７に示すように、請求項１〜４のいずれか一項に記載の収納家具１０において、
前記下向突起部材５０の幅寸法は、前記背面部２３，３３の幅寸法よりも短く設定されていることを特徴とする。
【００１６】
請求項５に記載の発明によれば、下向突起部材５０の幅寸法は、背面部２３，３３の幅寸法よりも短く設定されているので、上側仕切板１３の背面側端部と背面部２３，３３における上端部との間に、箱体２０，３０内部を視認できる隙間Ｓを形成することができる。さらに、当該隙間Ｓを通じて箱体２０，３０内部の通気性を向上できる。しかも、当該隙間Ｓを、箱体２０，３０を背面側に引き出す際に指を引っ掛けるのに利用することができる。
【００１７】
請求項６に記載の発明は、例えば図１〜図３に示すように、請求項１〜５のいずれか一項に記載の収納家具１０において、
前記複数の仕切板１３が取り付けられて当該複数の仕切板１３を支持する複数の縦仕切板１２を備えており、
前記複数の縦仕切板１２のうち少なくとも一つの縦仕切板１２は、建物の耐力壁４，５に固定されていることを特徴とする。
【００１８】
請求項６に記載の発明によれば、複数の仕切板１３を支持する複数の縦仕切板１２のうち少なくとも一つの縦仕切板１２は、建物の耐力壁４，５に固定されているので、収納家具１０にかかる荷重を、建物によって間接的に負担することが可能となる。そのため、箱体２０，３０の荷重を、より安定的に支持することができる。
【００１９】
請求項７に記載の発明は、例えば図１〜図３に示すように、請求項１〜６のいずれか一項に記載の収納家具１０が設置された子供用施設１であって、
前記収納家具１０によって隔てられ、当該収納家具１０を介して隣り合う二つの部屋２，３を備え、
前記二つの部屋２，３のうち一方は、子供が過ごす子供用スペース２とされ、他方は、前記子供用スペース２とは別室のホール３とされていることを特徴とする。
【００２０】
請求項７に記載の発明によれば、収納家具１０によって隔てられ、当該収納家具１０を介して隣り合う二つの部屋２，３を備え、二つの部屋２，３のうち一方は、子供が過ごす子供用スペース２とされ、他方は、子供用スペース２とは別室のホール３とされているので、子供用スペース２に居る子供に視認されにくい状態で、別室のホール３側から箱体２０，３０に対する物品の出し入れを行うことができる。そのため、子供用スペース２を子供の保育に使用する場合に、子供の親が箱体２０，３０に対する物品の出し入れを行っていても、子供には見つかりにくいので、子供用スペース２における保育に支障が出にくい。
【発明の効果】
【００２１】
本発明によれば、箱体の二方向への引き出しによる利便性と箱体の落下防止による安全性とを確保しつつ、箱体の荷重を安定的に支持することができる。
【図面の簡単な説明】
【００２２】
【図１】収納家具が設置された子供用施設の間取りの一部を示す図である。
【図２】収納家具とその設置場所の周囲を示す正面図である。
【図３】収納家具とその設置場所の周囲を示す背面図である。
【図４】収納家具を示す断面図である。
【図５】箱体が下側仕切板と上側仕切板との間のスペースに納められた状態を示す斜視図である。
【図６】箱体の底面側を示す斜視図である。
【図７】箱体が下側仕切板と上側仕切板との間のスペースに納められた状態を示す背面図である。
【図８】上向突起部材に緩衝材が設けられた状態を示す断面図である。
【図９】下側仕切板及び上側仕切板の変形例を示す断面図である。
【図１０】底面部の変形例を示し、（ａ）は背面側から見た場合の斜視図であり、（ｂ）は正面側から側端部を見た場合の正面図である。
【図１１】正面部の変形例を示す斜視図である。
【図１２】正面部の変形例を示す斜視図である。
【図１３】背面部の変形例を示す正面図である。
【図１４】収納家具の変形例を正面側上方から見た場合の斜視図である。
【図１５】収納家具の変形例を背面側下方から見た場合の斜視図である。
【図１６】収納家具の単位構成要素を複数並べて配置した場合の正面図である。
【発明を実施するための形態】
【００２３】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２４】
図１において符号１は、子供用施設を示す。本実施形態における子供用施設１は、保育を必要とする児童を預かり、保育することを目的とする保育所（保育園ともいう。）とされている。ただし、これに限られるものではなく、幼稚園や小学校のように比較的年齢の低い子供が通って教育を受ける施設であってもよい。
【００２５】
本実施形態における子供用施設１には、子供が保育されている間に過ごす子供用スペース２と、この子供用スペース２と隣り合い、かつ当該子供用スペース２とは別室のホール３が配設されている。
ホール３は、本実施形態においては玄関土間３ａと並んで配置された玄関ホールとされており、保護者が子供を連れて来たり、迎えに来たりした時に必ず立ち寄る場所となっている。
そして、子供用スペース２とホール３との間は、建物の壁４，５や出入口４ａ，５ａ、収納家具６，１０等によって隔てられており、子供用スペース２に居る子供によって、ホール３に居る保護者が視認されにくい状態となっている。
なお、子供用施設１内には、複数の部屋が配設されているが、子供用スペース２は、複数の部屋のうち子供が施設１内において最も長時間過ごして保育される部屋を指す。子供の保育（教育）を目的とする部屋と換言してもよい。
【００２６】
建物の壁４，５は、建物の主体構造として鉛直荷重又は水平力に抵抗させる目的で造られた耐力壁（構造壁ともいう。）であり、互いに離間して配置されている。以下、壁４を第一壁４と称し、壁５を第二壁５と称する。
なお、本実施形態においては、第一壁４と第二壁５はいずれも耐力壁とされているが、一方が耐力壁とされ、他方が非耐力壁（間仕切壁）とされてもよい。
【００２７】
第一壁４は、矩形パネル状に形成されており、子供用スペース２とホール３との間に、幅方向一端部が子供用スペース２側に位置し、幅方向他端部がホール３側に位置するようにして配置されている。
第二壁５は、平断面視においてＬ字状に形成されており、幅寸法の長い部位が第一壁４と直交する向きで配置され、幅寸法の短い部位が第一壁４と平行に、かつ対向して配置されている。
【００２８】
また、図１に示すように、子供用スペース２に対する第一壁４の幅方向一端部の位置と、子供用スペース２に対する第二壁５の幅寸法の短い部位における端部の位置は揃った状態となっており、これら第一壁４と第二壁５との間のスペースに、収納家具６，１０がぴったりと納まるようにして設置されている。
以下、第一壁４と第二壁５との間のスペースに設置された収納家具６，１０のうち、第一壁４側に位置する収納家具１０を第一収納家具１０と称し、第二壁５側に位置する収納家具６を第二収納家具６と称する。
【００２９】
出入口４ａは、第一壁４の幅方向他端部とその他の壁との間に形成された出入り用の開口であり、戸４ｂ（本実施形態では引き戸）によって開閉される。
出入口５ａも、第二壁５における幅寸法の長い部位とその他の壁との間に形成された出入り用の開口とされており、戸５ｂ（本実施形態では引き戸）によって開閉される。
戸４ｂ，５ｂは、子供用スペース２よりもホール３側に寄って配置されている。これにより、第一壁４及び第二壁５と、第一収納家具１０及び第二収納家具６は、戸４ｂ，５ｂに対して子供用スペース２側に寄せて配置された状態となっている。
【００３０】
第二収納家具６は、図２に示すように、子供用スペース２の床から天井までの高さに設定されたものであり、内部の収納スペースが複数の棚によって上下に仕切られている。
また、その前面には、内部の収納スペースを開閉する観音開き式の扉６ａが設けられている。なお、扉６ａは、第二収納家具６の上部に一組、下部に一組設けられている。
このような第二収納家具６は、図１に示すように、平面視Ｌ字状に形成された第二壁５の入隅に配置されている。そして、背面が、第二壁５における幅寸法の長い部位に固定され、一側面が、第二壁５における幅寸法の短い部位に固定されている。第二収納家具６は、建物の耐力壁に固定されることになるため、この第二収納家具６にかかる荷重を、建物によって負担することが可能となる。
【００３１】
第一収納家具１０は、物品が収納される箱体２０，３０と、箱体２０，３０が納められるスペース１１ａ（以下、箱体収納部１１ａ）を形成する枠体１１と、を主体として構成された箱形収納家具である。そして、第一収納家具１０には、箱体２０，３０が枠体１１から抜けて落下することを防止する落下防止構造が設けられている。
このような第一収納家具１０は、図１に示すように、第二収納家具６と隣接して第一壁４と第二壁５との間のスペースに納められている。すなわち、第一収納家具１０の一側面は、第二収納家具６の他側面に接し、第一収納家具１０の他側面は、第一壁４に接して固定されている。
【００３２】
以下、第一収納家具１０についてより詳細に説明する。
第一収納家具１０における枠体１１は、上下に（縦にして）設けられて互いに左右に間隔を空けて配置された複数の縦仕切板１２と、左右に設けられて互いに上下に間隔を空けて配置された複数の仕切板１３と、を有する。すなわち、複数の縦仕切板１２は左右に離間して枠体１１を左右に仕切っており、複数の仕切板１３は上下に離間して枠体１１を上下に仕切っている。複数の縦仕切板１２のうち最も外側に位置する二枚の縦仕切板１２は、枠体１１の幅方向における一側面及び他側面を構成している。また、複数の仕切板１３のうち最も上側に位置する仕切板１３は、枠体１１の上面を構成し、最も下側に位置する仕切板１３は、枠体１１の下面を構成している。
さらに、複数の仕切板１３は、左右に離間する複数の縦仕切板１２間に配置され、これら複数の縦仕切板１２に取り付けられている。すなわち、複数の仕切板１３は、複数の縦仕切板１２によって支持されている。
【００３３】
さらに、枠体１１の上面、すなわち最も上側に位置する仕切板１３の上面（複数の縦仕切板１２の上面も含む。）には、第一収納家具１０全体の上面部を構成する天板１４が設けられている。
枠体１１の下面、すなわち最も下側に位置する仕切板１３の下面（複数の縦仕切板１２の下面も含む。）は、台輪１５の上面に固定されている。なお、第一収納家具１０の高さを、この台輪１５の上下寸法を変更することで調整することができる。
第一収納家具１０の第一壁４側面（最も外側に位置する縦仕切板１２）には、第一収納家具１０と第一壁４との間の隙間を埋める板材１６が設けられている。
【００３４】
複数の縦仕切板１２のうち最も外側に位置する二枚の縦仕切板１２は、第一壁４と第二壁５に対し、直接的又は間接的にそれぞれ固定されている。
第一壁４側の縦仕切板１２は、上記の板材１６を介して間接的に第一壁４に固定されている。第二収納家具６側の縦仕切板１２は、その大部分が第二収納家具６に対して固定されているが、一部は第二壁５に対して直接的に固定されている。
なお、板材１６は、第一収納家具１０と第一壁４との間に設けられるものとしたが、第一収納家具１０と第二収納家具６との間に設けられるものとしてもよいし、両方に設けられるものとしてもよい。隙間を埋める必要がなければ、両方に設けられなくてもよい。
【００３５】
枠体１１は、複数の縦仕切板１２と複数の仕切板１３によって仕切られた、箱体２０，３０が納められる箱体収納部１１ａを複数有している。本実施形態における箱体収納部１１ａの数は縦４列、横４列の計１６とされている。正面から見て最も左側に位置する縦１列の箱体収納部１１ａは、左右の縦仕切板１２間の間隔が、右側に位置する縦３列における箱体収納部１１ａの間隔よりも広く設定されている。一方、右側縦１列目から縦３列目までの１２個の箱体収納部１１ａの左右間隔は等しい。また、全ての箱体収納部１１ａにおける上下の仕切板１３間の間隔は全て等しい。
箱体収納部１１ａは、正面側にも背面側にも開放された状態となっており、このような箱体収納部１１ａに納められる箱体２０，３０は、正面側（子供用スペース２側）と背面側（ホール３側）の二方向に引き出し可能となる（図４参照。）。
なお、本実施形態における箱体収納部１１ａの数は複数であり、箱体２０，３０も複数用いられているが、これに限られるものではなく、それぞれが少なくとも一つあればよいものとする。要するに、枠体１１の形体や箱体２０，３０の使用数は、図示例に限定されるものではなく、例えば箱体２０（３０）一つ分の枠体（図１４，１５参照。）であってもよいし、上下方向にのみ箱体収納部１１ａ（及び箱体）が連続するもの、左右方向にのみ箱体収納部１１ａ（及び箱体）が連続するもの、階段状に箱体収納部１１ａ（及び箱体）が配置されるもの等、適宜変更可能である。
【００３６】
第一収納家具１０の天板１４、子供用スペース２（又はホール３）の天井、第一壁４、第二壁５によって囲まれた位置は、子供用スペース２とホール３とを連通する開口部７とされている。この開口部７には、透視性を有する面材を備えた戸７ａ，７ｂが設けられており、開口部７を開閉できるようになっている。
なお、第一収納家具１０の高さは、第二収納家具６よりも低く設定されている。本実施形態においては、成人男性の標準的な身長（例えば統計データに基づく平均身長）よりも低く、当該標準的な身長の成人男性の胸下あたりの高さに設定されている。したがって、第一収納家具１０の高さは、成人女性の標準的な身長（例えば統計データに基づく平均身長）よりも低く設定されている。
要するに、第一収納家具１０の高さは、ホール３にいる保護者が、第一収納家具１０の天板１４よりも上方に顔を出し、開口部７における戸７ａ，７ｂを通じて子供用スペース２に居る子供の様子を窺える程度の寸法に設定されているものとする（例えば１００〜１２０ｃｍ程度）。
【００３７】
箱体２０は、図４〜図７に示すように、底面部２１と、正面部２２と、背面部２３と、側面部２４と、を有しており、上向きに開口している。すなわち、上から物品を収納したり、取り出したりする形体となっている。
また、箱体２０は、上述のように、正面側（子供用スペース２側）と背面側（ホール３側）の二方向に引き出されて、正面側と背面側のどちらからも物品の収納・取り出しが可能となっている。
【００３８】
底面部２１は、箱体２０の底面を構成し、かつ、上下に離間する複数の仕切板１３のうち下側に位置する下側仕切板１３の上面に接する部位を指している。
なお、本実施形態における底面部２１は、図５，図６に示すように、底面部用板材を主体として構成されているが、底面部２１以外の各部２２〜２４を主体として構成する各板材（後述する。）も含んで構成されている。すなわち、正面部２２を構成する正面部用板材の下端面、背面部２３を構成する背面部用板材の下端面、側面部２４を構成する側面部用板材の下端面を含んで構成されている。
箱体２０が正面側又は背面側に引き出される際に、この底面部２１は、下側仕切板１３の上面を摺動することになる。
【００３９】
正面部２２は、箱体２０の正面を構成し、かつ、上下に離間する複数の仕切板１３のうち上側に位置する上側仕切板１３と下側仕切板１３との間に納まる高さ寸法に設定された部位を指している。
なお、本実施形態における正面部２２は、正面部用板材を主体として構成されている。
また、正面部２２には、箱体２０を正面側に引き出す際に把持される摘み２２ａが設けられている。
【００４０】
背面部２３は、箱体２０の背面を構成し、かつ、上下に離間する複数の仕切板１３のうち上側に位置する上側仕切板１３と下側仕切板１３との間に納まる高さ寸法に設定された部位を指している。
なお、本実施形態における背面部２３は、背面部用板材を主体として構成されている。
また、背面部２３には、箱体２０を背面側に引き出す際に把持される摘み２３ａが設けられている。
【００４１】
側面部２４は、箱体２０の側面を構成し、かつ、上下に離間する複数の仕切板１３のうち上側に位置する上側仕切板１３と下側仕切板１３との間に納まる高さ寸法に設定された部位を指している。
この側面部２４は箱体２０の左右に配置され、箱体２０における左右の両側面を構成しているものとする。また、側面部２４は、箱体２０の左右に位置する縦仕切板１２に接するか、若しくは、ごく僅かに隙間を空けて配置される。
なお、本実施形態における側面部２４は、側面部用板材を主体として構成されているが、正面部２２を構成する正面部用板材の両側端面と、背面部２３を構成する背面部用板材の両側端面とを含んで構成されている。
【００４２】
このような箱体２０の構成についてより詳細に説明すると、底面部２１を構成する底面部用板材の左右側端面のそれぞれに、側面部２４を構成する側面部用板材の下端部が固定され、底面部用板材の正面側端面に、正面部２２を構成する正面部用板材の下端部が固定され、底面部用板材の背面側端面に、背面部２３を構成する背面部用板材の下端部が固定されている。さらに、左右の側面部２４を構成する側面部用板材の正面側端面に、正面部２２を構成する正面部用板材の左右側端部が固定され、左右の側面部用板材の背面側端面に、背面部２３を構成する背面部用板材の左右側端部が固定されている。
また、各部２１〜２４を構成する各板材は矩形状に形成されており、箱体２０は、左右幅方向よりも引き出し方向に長く、高さ方向よりも幅方向に長く設定されている。
【００４３】
そして、底面部２１には、後述する上向突起部材４０が納まる溝２１ａが、箱体２０の引き出し方向に沿って、かつ正面側に開放されるとともに背面側に閉じられた状態で形成されている。すなわち、溝２１ａは、底面部２１を構成する底面部用板材の下面と、正面部２２を構成する正面部用板材の下端面に連続して形成されている。
なお、溝２１ａの背面側端部には、箱体２０を正面側いっぱいに引き出した時に上向突起部材４０が当接する当接部材２１ｂが嵌め込まれて固定されている。当接部材２１ｂの材料は、例えば樹脂や木材等が好適に採用されている。
本実施形態における溝２１ａは、底面部２１に対して二本形成されており、側面部２４からの間隔が等しくなるように配置されている。
【００４４】
正面部２２の高さ寸法は、上下の仕切板１３間の間隔よりも若干短いか、略等しく設定されている。すなわち、底面部２１は、下側仕切板１３の上面に接するため、正面部２２の上端部と、上側仕切板１３の下面との間には、僅かに隙間（例えば、１ｍｍ〜数ｍｍ程度の隙間）が生じるように設定されている。
一方、背面部２３の高さ寸法は、上下の仕切板１３間の間隔よりも短く設定され、かつ正面部２２の高さ寸法よりも短く設定されている。さらに、背面部２３における上端部の高さ位置は、正面部２２における上端部の高さ位置よりも下方に位置している。なお、底面部２１は、下側仕切板１３の上面に接するため、背面部２３の上端部と、上側仕切板１３の下面との間には、図７に示すように、隙間（例えば、１０ｍｍ〜１５ｍｍ程度の隙間）Ｓが生じるように設定されている。
すなわち、正面部２２と上側仕切板１３との間の隙間の寸法は、背面部２３と上側仕切板１３との間の隙間Ｓの寸法よりも上下に短く設定されている。
なお、側面部２４の高さ寸法は、正面部２２及び背面部２３の高さ寸法よりも短く設定され、上端部の高さ位置も、正面部２２及び背面部２３における上端部の高さ位置よりも低くなっている。
【００４５】
箱体３０は、図４に示すように、箱体２０と同様の基本構成を有している。すなわち、底面部３１と、正面部３２と、背面部３３と、左右の側面部３４と、を有しており、底面部３１には、後述する上向突起部材４０が納まる溝（図示せず。）が、箱体３０の引き出し方向に沿って、かつ正面側に開放されるとともに背面側に閉じられた状態で形成されている。正面部３２及び背面部３３には、それぞれ摘み３２ａ，３３ａが設けられている。
箱体２０に対する箱体３０の相違点は、図２，図３に示すように、左右の幅寸法が箱体２０よりも長い点である。要するに、箱体２０と箱体３０は、幅方向におけるサイズが異なるだけで、その他の基本構成は同一である。よって、箱体３０の詳細については説明を省略する。
【００４６】
箱体２０，３０の落下防止構造は、箱体２０，３０の底面部２１，３１に形成された上記の溝２１ａ（箱体３０の底面部３１にも溝が形成されている。）に係る構成と、上向突起部材４０と、下向突起部材５０を含んで構成されている。また、上記した正面部２２，３２及び背面部２３，３３の高さ寸法に係る構成についても、当該落下防止構造の構成要素として含まれているものとする。
【００４７】
上向突起部材４０は、複数の仕切板１３のうち、箱体２０，３０の底面部２１，３１が接する下側仕切板１３の正面側端部における上面に、上方に突出するようにして設けられたものである。
また、上述のように、本実施形態における箱体２０，３０の底面部２１，３１に形成された溝２１ａは、底面部２１，３１に対して二本形成されているため、上向突起部材４０も、下側仕切板１３の正面側端部に対して二つ設けられている。側面部２４からの間隔は、溝２１ａの形成された位置に対応するものであり、上向突起部材４０は、溝２１ａの幅方向中央に位置するように配置されている（図８参照。）。
【００４８】
下向突起部材５０は、複数の仕切板１３のうち、箱体２０，３０の上方に位置する上側仕切板１３の背面側端部における下面に、下方に突出するようにして設けられたものである。
なお、本実施形態における下向突起部材５０も、上向突起部材４０と同様に、上側仕切板１３の背面側端部に対して二つ設けられている。本実施形態においては、側面部２４からの間隔も、上向突起部材４０の場合と同様である。
【００４９】
なお、本実施形態においては、上向突起部材４０と下向突起部材５０は、取り付けられる対象と取り付け向きが異なるのみであり、同じ種類の部材が用いられている。
上向突起部材４０は、軸又は棒状の部材であり、本実施形態においては、図５に示すように、頭部４１と軸部４２とを有するネジ状の部材が用いられている。
頭部４１は、軸部４２に比して直径が大きく設定されている。また、軸部４２は、頭部４１と同一軸芯上に設けられ、頭部４１と一体形成されている。さらに、軸部４２の外周面には雄ネジが形成されており、当該軸部４２は、雄ネジ部として機能する。
図示はしないが、下向突起部材５０も同様に、頭部５１と軸部（図示せず）とを有しており、軸部の外周面には、雄ネジが形成されて雄ネジ部として機能する。
【００５０】
上向突起部材４０が設けられる下側仕切板１３の正面側端部と、下向突起部材５０が設けられる上側仕切板１３の背面側端部には、雄ネジ部として機能する軸部４２（下向突起部材５０の軸部も含む）が螺合する雌ネジ部１３ａが設けられている。
雌ネジ部１３ａは、本実施形態においては、ナット状に形成されており、上向突起部材４０及び下向突起部材５０に向かって開口するように配置されている。
【００５１】
上向突起部材４０及び下向突起部材５０は、雄ネジ部として機能する軸部４２（下向突起部材５０の軸部も含む）を、雌ネジ部１３ａに螺合させるだけで容易に、下側仕切板１３と上側仕切板１３に対して取り付けることができ、取り外しも容易となっている。すなわち、上向突起部材４０及び下向突起部材５０は、下側仕切板１３と上側仕切板１３に対して脱着自在に設けられている。
なお、本実施形態においては、上向突起部材４０及び下向突起部材５０としてネジ状の部材が用いられているが、例えば円柱状に形成されたダボ材のような軸材が用いられてもよい。その場合、下側仕切板１３の正面側端部と上側仕切板１３の背面側端部には、ダボ差し込み用の穴が形成される。また、その他にも、本発明の趣旨を逸脱しない範囲の構成を有した部材が適宜用いられてもよい。
【００５２】
また、上向突起部材４０及び下向突起部材５０の幅寸法（すなわち、頭部４１，５１における直径）は、図７に示すように、正面部２２及び背面部２３の幅寸法よりも短く設定されている（正面部３２及び背面部３３も同様）。そのため、背面部２３と上側仕切板１３との間の隙間Ｓは、正面視において、下向突起部材５０によって閉塞されない状態となっており、箱体２０，３０の内部を覗き込んだり、通気させたり、指を引っ掛けたりすることができる。
【００５３】
そして、箱体２０，３０の背面部２３，３３における上端部の高さ位置は、下向突起部材５０の下端部よりも下方に位置し、箱体２０，３０の正面部２２，３２における上端部の高さ位置は、下向突起部材５０の下端部よりも上方に位置している。
このような構成によれば、背面部２３，３３における上端部が、下向突起部材５０には当たらない状態となり、箱体２０，３０を背面側に引き出せるようになっている。さらに、箱体２０，３０を背面側に引き出した際には、下向突起部材５０が、箱体２０，３０の正面部２２，３２における上端部に当接するため、箱体２０，３０の背面側への落下を防止することができる。
さらに、上述のように、上向突起部材４０は、箱体２０，３０の底面部２１，３１に形成された溝２１ａに納められた状態となっているので、箱体２０，３０を正面側に引き出せるとともに、上向突起部材４０が、溝２１ａにおける閉じられた状態の背面側端部に当接することで、箱体２０，３０の正面側への落下を防止することができる。
【００５４】
なお、上向突起部材４０は、箱体２０，３０を正面側に引き出した際に溝２１ａの閉じられた状態の背面側端部に当接し、下向突起部材５０は、箱体２０，３０を背面側に引き出した際に正面部２２，３２の上端部に当接する。そのため、上向突起部材４０及び下向突起部材５０における頭部４１，５１の周囲には、図８に示すように、例えばゴムやプラスチック、シリコンゴム等からなる緩衝材４３が設けられている。
すなわち、緩衝材４３は、頭部４１，５１に対して外れにくいように設けられ、かつ弾力性を有する材料によって製造されているものとする。
【００５５】
箱体２０，３０の背面部２３，３３における上端部の高さ位置は、上述のように、下向突起部材５０の下端部よりも下方に位置しているため、背面部２３，３３の上端部と上側仕切板１３の下面との間には隙間Ｓが形成される。隙間Ｓが形成されていると、例えば箱体２０，３０を正面側いっぱいまで引き出した時に、箱体２０，３０は、下方には落下しないものの、正面側端部が下がるような状態で傾くことが想定される。そして、このような場合には、箱体２０，３０の底面部２１，３１における背面側端部が、下側仕切板１３の上面から浮き上がった状態となる。
本実施形態の落下防止構造においては、このように背面側端部が、下側仕切板１３の上面から浮き上がった状態になったときに、上向突起部材４０が、溝２１ａから抜け出た状態とならないように設定されている。
すなわち、隙間Ｓの上下方向の寸法は、下向突起部材５０における上側仕切板１３の下面からの突出寸法よりも若干長い程度に設定されている（例えば１ｍｍ〜数ｍｍ長い程度）。さらに、溝２１ａに嵌め込まれて固定された上記の当接部材２１ｂの長さを調節することによって、箱体２０，３０を正面側に引き出せる寸法を調節することができる。そのため、当接部材２１ｂの長く設定し、箱体２０，３０を正面側いっぱいに引き出した時に箱体２０，３０が箱体収納部１１ａ内に残る分の寸法を長くすれば、箱体２０，３０の正面側端部が下がるような状態で傾く際の角度を抑えることができるので、結果的に、上向突起部材４０が、溝２１ａから抜け出た状態とならないようにすることができる。換言すれば、箱体２０，３０の正面側端部が下がるような状態で傾いた際に、背面部２３，３３の上端部が、上側仕切板１３における下面のより奥側に当接することになるので、箱体２０，３０の正面側端部が下がるような状態で傾く際の角度を抑えることができる。
なお、正面部２２，３２の上端部と上側仕切板１３の下面との間の隙間における上下方向の寸法は、上記の隙間Ｓにおける上下方向の寸法よりも格段に短い。そのため、箱体２０，３０を背面側いっぱいに引き出した場合であって、かつ箱体２０，３０の背面側端部が下がるような状態で傾こうとした時に、正面部２２，３２の上端部が、上側仕切板１３の下面にすぐに当接することになる。すなわち、箱体２０，３０を背面側いっぱいに引き出した場合の下方への傾きは、正面部２２、３２の上端部によって抑えられることになる。
また、箱体２０，３０を、枠体１１の箱体収納部１１ａに納める作業は、上向突起部材４０と下向突起部材５０のうち、いずれか一方を一旦取り外してから行われるものとする。一方、箱体２０，３０を、枠体１１の箱体収納部１１ａから取り出す作業も同様に、上向突起部材４０と下向突起部材５０のうち、いずれか一方を一旦取り外してから行われるものとする。
【００５６】
本実施の形態によれば、下側仕切板１３の正面側端部には、上方に突出する上向突起部材４０が設けられ、箱体２０，３０の底面部２１，３１には、上向突起部材４０が納まる溝２１ａが、箱体２０，３０の引き出し方向に沿って、かつ正面側に開放されるとともに背面側に閉じられた状態で形成されているので、箱体２０，３０を正面側に引き出す際には、箱体２０，３０が、溝２１ａ内に上向突起部材４０を納めた状態で、下側仕切板１３の上面を摺動することになる。そのため、箱体２０，３０の荷重を、下側仕切板１３によって安定的に支持することができる。また、箱体２０，３０を正面側に引き出した際には、上向突起部材４０が、溝２１ａにおける閉じられた状態の背面側端部（当接部材２１ｂ）に当接するため、箱体２０，３０が正面側に落下することを防ぐことができ、安全性を確保できる。
さらに、上側仕切板１３の背面側端部には、下方に突出する下向突起部材５０が設けられ、箱体２０，３０の背面部２３，３３における上端部の高さ位置は、下向突起部材５０の下端部よりも下方に位置するので、背面部２３，３３における上端部が、下向突起部材５０には当たらない状態となり、箱体２０，３０を背面側にも引き出すことができる。すなわち、箱体２０，３０の二方向への引き出しが可能となるので、利便性に優れる。また、箱体２０，３０の正面部２２，３２における上端部の高さ位置は、下向突起部材５０の下端部よりも上方に位置するので、箱体２０，３０を背面側に引き出した際には、下向突起部材５０が、箱体２０，３０の正面部２２，３２における上端部に当接するため、箱体２０，３０が背面側に落下することを防ぐことができ、安全性を確保できる。
【００５７】
また、上向突起部材４０及び下向突起部材５０は、下側仕切板１３と上側仕切板１３に対して脱着自在に設けられているので、上向突起部材４０及び下向突起部材５０を取り外すことで、箱体２０，３０を、当該箱体２０，３０が納められるスペースから正面側にも背面側にも引き抜くことができる。これにより、箱体２０，３０を床に置いて物品の収納を行ったり、複数の仕切板１３又は箱体２０，３０のメンテナンス作業を行ったりすることができる。
【００５８】
また、下側仕切板１３と上側仕切板１３のそれぞれは雌ネジ部１３ａを有し、上向突起部材４０及び下向突起部材５０は、雌ネジ部１３ａに螺合する雄ネジ部４２を有するので、上向突起部材４０及び下向突起部材５０の、下側仕切板１３と上側仕切板１３に対する取り付け強度が出やすく、下側仕切板１３と上側仕切板１３からの取り外しも容易となる。
さらに、下側仕切板１３及び上側仕切板１３に雌ネジ部１３ａを設け、雄ネジ部４２を有する上向突起部材４０及び下向突起部材５０と箱体２０，３０とを用意すれば収納家具１０を構成できるので、古くなった収納家具１０の板枠材を再利用するなどすれば、リフォーム・リノベーション分野での展開が可能となる。
【００５９】
また、上向突起部材４０及び下向突起部材５０の周囲には緩衝材４３が設けられているので、上向突起部材４０と溝２１ａとの接触による上向突起部材４０又は溝２１ａの破損を防ぐことができる。
さらに、緩衝材４３としてゴムなどを用いれば、上向突起部材４０及び下向突起部材５０を取り外した場合に、上向突起部材４０及び下向突起部材５０が転がりにくくなり、上向突起部材４０及び下向突起部材５０の紛失を防ぎやすくなる。
【００６０】
また、下向突起部材５０の幅寸法は、背面部２３，３３の幅寸法よりも短く設定されているので、上側仕切板１３の背面側端部と背面部２３，３３における上端部との間に、箱体２０，３０内部を視認できる隙間Ｓを形成することができる。さらに、当該隙間Ｓを通じて箱体２０，３０内部の通気性を向上できる。しかも、当該隙間Ｓを、箱体２０，３０を背面側に引き出す際に指を引っ掛けるのに利用することができる。
【００６１】
また、複数の仕切板１３を支持する複数の縦仕切板１２のうち少なくとも一つの縦仕切板１２は、建物の耐力壁４，５に固定されているので、収納家具１０にかかる荷重を、建物によって間接的に負担することが可能となる。そのため、箱体２０，３０の荷重を、より安定的に支持することができる。
【００６２】
また、収納家具１０によって隔てられ、当該収納家具１０を介して隣り合う二つの部屋２，３を備え、二つの部屋２，３のうち一方は、子供が過ごす子供用スペース２とされ、他方は、子供用スペース２とは別室のホール３とされているので、子供用スペース２に居る子供に視認されにくい状態で、別室のホール３側から箱体２０，３０に対する物品の出し入れを行うことができる。そのため、子供用スペース２を子供の保育に使用する場合に、子供の親が箱体２０，３０に対する物品の出し入れを行っていても、子供には見つかりにくいので、子供用スペース２における保育に支障が出にくい。
【００６３】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
また、以下の各変形例において、上記の実施形態と共通する要素については、共通の符号を付し、説明を省略又は簡略する。さらに、各変形例における箱体２０は、幅広に形成された上記の箱体３０に置き換えてもよいものとする。
【００６４】
〔変形例１〕
図９に示すように、箱体収納部１１ａの中央に箱体２０が配置された状態において、本変形例における下側仕切板１３Ａ及び上側仕切板１３Ａの正面側端部は、箱体２０の正面部２２よりも正面側（前方）に突出しており、背面側端部は、箱体２０の背面部２３よりも背面側（後方）に突出している。
本変形例によれば、箱体２０を正面側と背面側のどちらに引き出した場合であっても、箱体２０の底面部２１が下側仕切板１３の上面に接する面積を広くすることができるので、箱体２０をより安定的に支持することができる。
【００６５】
〔変形例２〕
本変形例における底面部２１０は、図１０に示すように、格子状（簀の子に近似する形状）に形成されている。すなわち、底面部を構成するものは、上記の実施形態のような底面部用板材に限られるものではない。
すなわち、底面部２１０は、背面側端部に設けられた左右に長い背面側端部用枠材２１１と、背面側端部用枠材２１１の長さ方向両端部から正面に向かって設けられた左右の側枠材２１２と、左右の側枠材２１２と並行し、かつ左右の側枠材２１２間に互いに間隔を空けて設けられた複数の桟材２１３と、左右の側枠材２１２と複数の桟材２１３とを左右方向に接続する繋ぎ材２１４と、を備える。
そして、左右の側枠材２１２と隣り合う桟材２１３との間、隣り合う桟材２１３同士の間には、隙間２１５が形成されている。
【００６６】
繋ぎ材２１４は、左右の側枠材２１２及び複数の桟材２１３の長さ方向に、互いに間隔を空けて複数設けられている。また、繋ぎ材２１４は、複数の桟材２１３を貫通するようにして左右の側枠材２１２と複数の桟材２１３とを左右方向に接続している。
これら複数の繋ぎ材２１４は、全て等しい高さに配置されており、図１０（ｂ）に示すように、隙間２１５に露出する繋ぎ材２１４の下方を、上向突起部材４０が納められるスペースとして利用できるようになっている。
上向突起部材４０が納められる隙間２１５は、左右の側枠材２１２と隣り合う桟材２１３との間の隙間とされている。
【００６７】
本変形例における底面部２１０を備えた箱体を正面側いっぱいに引き出した場合は、上向突起部材４０が、背面側端部用枠材２１１に当接することになるため、箱体の正面側における落下を防止することができる。
また、箱体を正面側又は背面側に引き出した際に各隙間２１５を空気が通過するので通気性を高めることができる。
【００６８】
〔変形例３〕
本変形例における正面部２２０は、図１１に示すように、当該正面部２２０を構成する正面部用板材の下端部が、下側仕切板１３の上面に接しない位置に配置されている。なお、正面部２２０の上端部の高さ位置は、上記の実施形態における正面部２２の上端部の高さ位置と等しい。
すなわち、本変形例における正面部２２０は、その高さ寸法が、上記の実施形態における正面部２２の高さ寸法よりも短く設定され、下端部が、下側仕切板１３の上面に接しない状態となっている。
これに伴って、本変形例における底面部２１Ａは、上記の実施形態における底面部２１とは異なり、正面部２２０を構成する正面部用板材の下端面を含まない状態となる。
【００６９】
正面部２２０の下端部が下側仕切板１３の上面に接しない構成の場合、正面部２２０の下端面と、底面部２１Ａを構成する底面部用板材の正面側との間には、段差２２１が形成されることになる。
このような段差２２１が形成されることで、底面部２１Ａを構成する底面部用板材の正面側は露出することになる。これにより、底面部２１Ａに、上向突起部材４０が納められる溝（図示せず）を形成するに際し、正面部２２０を構成する正面部用板材の下端部に溝加工を施す必要がなくなるので、その分の手間やコストを軽減することができる。
【００７０】
〔変形例４〕
本変形例における正面部２２５は、図１２に示すように、格子枠状に形成されている。すなわち、正面部を構成するものは、上記の実施形態のような正面部用板材に限られるものではない。
すなわち、正面部２２５は、当該正面部２２５の左右両側端部のそれぞれに設けられた側端枠材２２５ａと、左右の側端枠材２２５ａ間に架け渡された複数の枠材２２５ｂ，２２５ｃ，２２５ｄと、を備える。
複数の枠材２２５ｂ，２２５ｃ，２２５ｄには、正面部２２５の上端部に配置された上端枠材２２５ｂ、下端部に配置された下端枠材２２５ｃ、これら上端枠材２２５ｂと下端枠材２２５ｃとの間に互いに間隔を空けて配置された複数の中間枠材２２５ｄが含まれている。各枠材２２５ｂ，２２５ｃ，２２５ｄには、隙間２２６が形成されている。
また、本変形例の底面部２１Ｂを構成する底面部用板材の正面側端部は、以上のような構成の正面部２２５における背面に固定されている。
【００７１】
側端枠材２２５ａには、側面部２４を構成する側面部用板材の正面側端部が固定されている。
上端枠材２２５ｂは、箱体２０が背面側いっぱいに引き出された際に下向突起部材５０に当接するため、下端枠材２２５ｃや中間枠材２２５ｄに比して高さ寸法が長く設定され、剛性が高められた状態となっている。
下端枠材２２５ｃと中間枠材２２５ｄは、等しいサイズの角材によって構成されているが、下端枠材２２５ｃの下面には、上向突起部材４０が納められる溝２１Ｂａが形成されている。
溝２１Ｂａは、下端枠材２２５ｃと底面部２１Ｂを構成する底面部用板材とに対し、箱体２０の引き出し方向に沿って、かつ正面側に開放されるとともに背面側に閉じられた状態で形成されている。
【００７２】
本変形例によれば、複数の枠材２２５ｂ，２２５ｃ，２２５ｄ間に隙間２２６が形成されているので、この隙間２２６から箱体２０の内部を視認できる。さらに、当該隙間２２６を通じて箱体２０内部の通気性を向上できる。しかも、当該隙間２２６を、箱体２０を正面側に引き出す際に指を引っ掛けるのに利用することができる。
なお、図示はしないが、背面部を、本変形例の正面部２２５のように格子枠状に形成してもよい。その場合、下端枠材に、上向突起部材４０が納められる溝は形成されないものとする。
【００７３】
〔変形例５〕
本変形例においては、図１３に示すように、背面部２３０の上端部の高さ位置が、上記の実施形態における背面部２３の上端部の高さ位置よりも高く設定されている。
より詳細に説明すると、背面部２３０における上端部の高さ位置は、正面部２２における上端部の高さ位置と略等しく設定されている。さらに、本変形例においては、背面部２３０における高さ寸法は、正面部２２における高さ寸法と略等しく設定されている。
そして、背面部２３０を構成する背面部用板材の上端部における下向突起部材５０と対向する位置には、下向突起部材５０よりも幅広な凹溝部２３１が、箱体２０の引き出し方向に沿って形成されている。
【００７４】
本変形例によれば、背面部２３０における上端部の高さ位置が高くても、背面部２３０を構成する背面部用板材の上端部に凹溝部２３１が形成されているので、箱体２０を正面側に引き出す際に、背面部用板材の上端部が下向突起部材５０に接触しないこととなる。すなわち、背面部２３０の上端部は、少なくとも下向突起部材５０と対向する位置のみ、その高さ位置が下向突起部材５０の下端部よりも下方に位置していればよい。
これにより、背面部２３０の上端部と上側仕切板１３の下面との間の隙間における高さ寸法が短くなるので、箱体２０を正面側いっぱいに引き出した場合であって、かつ箱体２０の正面側端部が下がるような状態で傾こうとした時に、背面部２３０の上端部が、上側仕切板１３の下面にすぐに当接することになる。そのため、箱体２０を正面側いっぱいに引き出した場合の下方への傾きを、背面部２３０の上端部によって抑えることが可能となる。
【００７５】
〔変形例６〕
本変形例における収納家具３１０は、図１４，図１５に示すように、一つの箱体収納部３１１ａが形成された枠体３１１と、一つの箱体収納部３１１ａに納められる箱体２０と、を備える。
そして、この収納家具３１０には、箱体２０が枠体３１１から抜けて落下することを防止する、上記の実施形態と同様の落下防止構造（説明省略。）が設けられている。
【００７６】
枠体３１１は、下側に位置する仕切板３１３（下側仕切板３１３）と、上側に位置する仕切板３１３（上側仕切板３１３）と、これら上下の仕切板３１３が取り付けられて当該上下の仕切板３１３を支持する左右の縦仕切板３１２と、を有する。
下側仕切板３１３は、左右の縦仕切板３１２における下端部の内側面間に架け渡されて取り付けられ、上側仕切板３１３は、左右の縦仕切板３１２における上端部の内側面間に架け渡されて取り付けられている。
左右の縦仕切板３１２の下端面と下側仕切板３１３の下面は面一になっており、左右の縦仕切板３１２の上端面と上側仕切板３１３の上面も面一になっている。
【００７７】
なお、左右の縦仕切板３１２と、上下の仕切板３１３との取り合い（所謂“勝ち負け”）は、逆であってもよいし、左右の縦仕切板３１２の端部と上下の仕切板３１３の端部同士を斜め（例えば４５度の角度）にカットして接合するようにしてもよい。
【００７８】
以上のように形成された枠体３１１の箱体収納部３１１ａに箱体２０が納められることで、箱体２０一つ分の収納家具３１０が構成される。
本変形例における箱体２０一つ分の収納家具３１０は、図１６に示すように、上下方向や左右方向に隣接するように複数並べて使用することができる。収納家具３１０同士を隣接させる場合は、図示しない接合部材を適宜用いて接合してもよいし、接合せずに単に複数並べて使用してもよい。
なお、複数の収納家具３１０を上下方向や左右方向に隣接するように複数並べた場合、隣接する枠体３１１における左右の縦仕切板３１２や上下の仕切板３１３が重なり合うことになる。そのため、上下方向や左右方向における寸法を縮めたい場合は、上記の実施形態で挙げた第一収納家具１０（隣り合う箱体２０同士で縦仕切板１２や仕切板１３が共有化される形態）を使用すればよい。
【符号の説明】
【００７９】
１  子供用施設
２  子供用スペース
３  ホール
４  第一壁
５  第二壁
６  第二収納家具
７  開口部
１０  第一収納家具
１１  枠体
１１ａ  箱体収納部
１２  縦仕切板
１３  仕切板
１３ａ  雌ネジ部
１４  天板
２０  箱体
２１  底面部
２１ａ  溝
２１ｂ  当接部材
２２  正面部
２３  背面部
２４  側面部
３０  箱体
３１  底面部
３２  正面部
３３  背面部
３４  側面部
４０  上向突起部材
４１  頭部
４２  軸部
４３  緩衝材
５０  下向突起部材
Ｓ  隙間
【図１】
2020018658.tif 000003
【図２】
2020018658.tif 000004
【図３】
2020018658.tif 000005
【図４】
2020018658.tif 000006
【図５】
2020018658.tif 000007
【図６】
2020018658.tif 000008
【図７】
2020018658.tif 000009
【図８】
2020018658.tif 000010
【図９】
2020018658.tif 000011
【図１０】
2020018658.tif 000012
【図１１】
2020018658.tif 000013
【図１２】
2020018658.tif 000014
【図１３】
2020018658.tif 000015
【図１４】
2020018658.tif 000016
【図１５】
2020018658.tif 000017
【図１６】
2020018658.tif 000018